【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
遠隔サーバとともに使用するための多層データ収集システムであって、
デジタルデータ入力ソースと、
メモリと、コントローラと、無線送受信機とを備える、送受信機アセンブリであって、前記デジタルデータ入力ソースに通信可能に連結され、
前記デジタルデータ入力ソースからデータを受信し、
前記メモリの中に受信された前記データ（「高詳細データ」）を記憶し、
所定の負荷サイクルにおいて、前記遠隔サーバに送信される、低詳細データが、対応する期間にわたって前記メモリの中に記憶される、前記高詳細データよりも低い分解能、対応する期間にわたって前記メモリの中に記憶される、前記高詳細データよりも低いサンプリングレート、および対応する期間にわたって前記メモリの中に記憶される、前記高詳細データとは異なる一式のセンサから受信されていることのうちの少なくとも１つによって特徴付けられる、前記無線送受信機を介して、受信された前記データのサブセット（「低詳細データ」）を前記遠隔サーバに送信し、
前記遠隔サーバによる低詳細データの分析が該分析の結果において異常の指示を与えることに基づく前記遠隔サーバからの信号に応答して、前記メモリから前記高詳細データの少なくとも一部分を取り出し、前記取り出した高詳細データを前記遠隔サーバに送信するように構成される、
送受信機アセンブリと、
を備える、システム。
【請求項２】
前記遠隔サーバに送信される、前記低詳細データは、対応する期間にわたって前記メモリの中に記憶される、前記高詳細データよりも低いサンプリングレートによって特徴付けられる、請求項１に記載のシステム。
【請求項３】
前記遠隔サーバは、
前記送受信機アセンブリによって送信される、前記低詳細データを受信し、
異常の指示について、受信された前記低詳細データを自動的に分析し、
前記異常が示された場合、自動的に前記信号を前記送受信機アセンブリに送信するように構成される、
請求項１に記載のシステム。
【請求項４】
前記異常は、地震を含む、請求項３に記載のシステム。
【請求項５】
前記異常は、津波を含む、請求項３に記載のシステム。
【請求項６】
前記異常は、ガス井、油井、および鉱山のうちの少なくとも１つの内側の危険な状態を含む、請求項３に記載のシステム。
【請求項７】
前記異常は、厳しい天候を含む、請求項３に記載のシステム。
【請求項８】
前記異常は、建築物の構造部材における危険な機械的状態を含む、請求項３に記載のシステム。
【請求項９】
前記異常は、建築物の構造部材の故障を含む、請求項３に記載のシステム。
【請求項１０】
前記異常は、地質構造内の危険な状態を含む、請求項３に記載のシステム。
【請求項１１】
前記異常は、所定の値を超える核放射線レベルを含む、請求項３に記載のシステム。
【請求項１２】
前記異常は、爆発を含む、請求項３に記載のシステム。
【請求項１３】
前記異常は、減圧を含む、請求項３に記載のシステム。
【請求項１４】
前記遠隔サーバはさらに、
前記高詳細データを受信し、
受信された前記高詳細データを自動的に分析して、示された前記異常を検証するように構成される、
請求項３に記載のシステム。
【請求項１５】
前記遠隔サーバは、
第１の分析技法に従って、前記低詳細データを分析し、
第２の分析技法に従って、前記高詳細データを分析するように構成され、
前記第２の分析技法は、前記第１の分析技法よりも前記異常に対する高い特異性を有する、
請求項１に記載のシステム。
【請求項１６】
前記遠隔サーバは、
少なくとも１つのユーザ指定基準を受け入れるように構成される第１のユーザインターフェースを表示し、
前記ユーザ指定基準を満たす、前記低詳細データの少なくとも一部分に基づいて、前記異常の前記指示について、受信された前記低詳細データを自動的に分析するように構成される、
請求項１に記載のシステム。
【請求項１７】
前記遠隔サーバは、
少なくとも１つのユーザ指定基準を受け入れるように構成される第１のユーザインターフェースを表示し、
前記ユーザ指定基準を満たす、前記高詳細データの少なくとも一部分に基づいて、受信された前記高詳細データを自動的に分析して、示された前記異常を検証するように構成される、
請求項１に記載のシステム。
【請求項１８】
前記無線送受信機は、携帯電話を備える、請求項１に記載のシステム。
【請求項１９】
前記送受信機アセンブリは、短距離無線リンクを介して前記無線送受信機に連結され、前記メモリの中に前記高詳細データを記憶し、前記低詳細データを前記遠隔サーバに送信し、前記信号に応答して、前記メモリから前記高詳細データの前記少なくとも一部分を取り出し、無線キャリアネットワークを介して、前記取り出した高詳細データを前記遠隔サーバに送信するように構成される、携帯電話を備える、請求項１に記載のシステム。
【請求項２０】
無線キャリアネットワークに通信可能に連結され、
前記無線送受信機を介して、前記送受信機アセンブリによって送信される前記データを受信し、
前記無線キャリアネットワークを介して、受信された前記データを前記遠隔サーバに送信するように構成される、
携帯電話をさらに備える、
請求項１に記載のシステム。
【請求項２１】
無線キャリアネットワークによって通信可能に連結されるように構成される携帯電話によって実行されるように構成される、アプリケーションプログラムをさらに備え、前記アプリケーションプログラムは、
前記無線送受信機を介して、前記送受信機アセンブリによって送信される前記データを受信し、
前記無線キャリアネットワークを介して、受信された前記データを前記遠隔サーバに送信するように構成される、
請求項１に記載のシステム。
【請求項２２】
前記遠隔サーバは、
第１のユーザインターフェースを通して、ユーザ指定データ収集パラメータを受け入れ、
前記ユーザ指定データ収集パラメータを受け入れることに応じて、前記データ収集パラメータを前記送受信機アセンブリに送信するように構成され、
前記送受信機アセンブリは、
前記データ収集パラメータを受信し、
前記データ収集パラメータの受信に応じて、その後前記遠隔サーバに送信される前記低詳細データの前記分解能およびサンプリングレートのうちの少なくとも１つを変更するように構成される、
請求項１に記載のシステム。
【請求項２３】
前記遠隔サーバは、
前記送受信機アセンブリから受信される前記低詳細データから、第１のユーザインターフェースにおいて第１の表示を生成し、
ユーザ入力に応答して、前記送受信機アセンブリから受信され、前記第１の表示の中で表示される前記データと関連付けられる時間に対応する、前記高詳細データの少なくとも一部分から、前記第１のユーザインターフェースにおいて第２の表示を生成するように構成される、
請求項１に記載のシステム。
【請求項２４】
前記遠隔サーバはさらに、前記ユーザ入力に応答して、前記信号を前記送受信機アセンブリに送信するように構成される、請求項２３に記載のシステム。
【請求項２５】
データの遠隔監視のための多層方法であって、
データを受信することと、
メモリの中に受信された前記データ（「高詳細データ」）を記憶することと、
所定の負荷サイクルにおいて、遠隔サーバに送信される、低詳細データが、対応する期間にわたって前記メモリの中に記憶される、前記高詳細データよりも低い分解能、対応する期間にわたって前記メモリの中に記憶される、前記高詳細データよりも低いサンプリングレート、および対応する期間にわたって前記メモリの中に記憶される、前記高詳細データとは異なる一式のセンサから受信されていることのうちの少なくとも１つによって特徴付けられる、受信された前記データのサブセット（「低詳細データ」）を前記遠隔サーバに無線で送信することと、
前記遠隔サーバによる低詳細データの分析が該分析の結果において異常の指示を与えることに基づく前記遠隔サーバからの信号に応答して、前記メモリから前記高詳細データの少なくとも一部分を取り出し、前記取り出した高詳細データを前記遠隔サーバに送信することと、
を含む、方法。
【請求項２６】
前記遠隔サーバに送信される、前記低詳細データは、対応する期間にわたって前記メモリの中に記憶される、前記高詳細データよりも低い分解能によって特徴付けられる、請求項２５に記載の方法。
【請求項２７】
前記遠隔サーバにおいて、前記低詳細データを受信することと、
前記遠隔サーバにおいて、異常の指示について、受信された前記低詳細データを自動的に分析することと、
前記異常が示された場合、自動的に前記信号を送信することと、
をさらに含む、請求項２５に記載の方法。
【請求項２８】
前記遠隔サーバによって、前記高詳細データを受信することと、
前記遠隔サーバにおいて、示された前記異常を検証するように、受信された前記高詳細データを自動的に分析することと、
をさらに含む、請求項２７に記載の方法。
【請求項２９】
前記低詳細データを分析することは、第１の分析技法に従って、前記低詳細データを分析することを含み、
前記高詳細データを分析することは、第２の分析技法に従って、前記高詳細データを分析することを含み、
前記第２の分析技法は、前記第１の分析技法よりも前記異常に対する高い特異性を有する、
請求項２８に記載の方法。
【請求項３０】
遠隔サーバとともに使用するための多層データ収集システムであって、
デジタルデータ入力ソースと、
メモリと、コントローラと、無線送受信機とを備える、伝送機アセンブリであって、前記デジタルデータ入力ソースに通信可能に連結され、
前記デジタルデータ入力ソースからデータを受信し、
前記メモリの中に受信された前記データ（「高詳細データ」）を記憶し、
所定の負荷サイクルにおいて、低詳細データが、対応する期間にわたって前記メモリの中に記憶される、前記高詳細データよりも低い分解能、対応する期間にわたって前記メモリの中に記憶される、前記高詳細データよりも低いサンプリングレート、および対応する期間にわたって前記メモリの中に記憶される、前記高詳細データとは異なる一式のセン
サから受信されていることのうちの少なくとも１つによって特徴付けられる、受信された前記データのサブセット（「低詳細データ」）を遠隔サーバに送信し、
前記遠隔サーバによる低詳細データの分析が該分析の結果において異常の指示を与えることに基づく前記遠隔サーバからの信号に応答して、前記メモリから前記高詳細データの少なくとも一部分を自動的に取り出し、前記取り出した高詳細データを前記遠隔サーバに送信するように構成される、
伝送機アセンブリと、
を備える、システム。
【請求項３１】
前記低詳細データは、対応する期間にわたって前記メモリの中に記憶される、前記高詳細データよりも低い分解能によって特徴付けられる、請求項３０に記載のシステム。
【請求項３２】
前記遠隔サーバは、
前記高詳細データを受信し、
受信された前記高詳細データを自動的に分析して、示された前記異常を検証するように構成される、
請求項３０に記載のシステム。
【請求項３３】
前記伝送機アセンブリは、第１の分析技法に従って、前記低詳細データを分析するように構成され、
前記遠隔サーバは、第２の分析技法に従って、前記高詳細データを分析するように構成され、
前記第２の分析技法は、前記第１の分析技法よりも前記異常に対する高い特異性を有する、
請求項３０に記載のシステム。